(57)【要約】【課題】デンタルミラー等を用いなくても、患部に十分な光を照射することができ、かつ患部を容易に観察することができるとともに、治療中、術者が両手を自由に使うことのできる歯科用ミラーおよび歯科用クランプを提供すること。【解決手段】患歯Ｔに固定して用いられる歯科用クランプ１であって、患歯Ｔに固定した状態において、口腔外から口腔内へ侵入した光の少なくとも一部を患部Ｔ１に向けて反射する光反射部１３１を有する。このような歯科用クランプ１は、患歯Ｔに係合し得る一対の係合部１１、１２と、一対の係合部１１、１２を連結する連結部１３とを有し、連結部１３が、光反射部１３１を兼ねている。【選択図】図２
2011098194.tif 000002
【特許請求の範囲】
【請求項１】
歯牙に係合する一対の係合部と、前記一対の係合部を連結する連結部とを有するクランプに着脱自在な歯科用ミラーであって、
前記クランプに固定される基部と、
前記基部に設けられた光反射部と、
前記基部に設けられ、前記クランプに係合するクランプ係合部とを有し、
前記光反射部は、前記クランプ係合部が前記クランプに係合した状態において、口腔外から口腔内へ侵入した光の少なくとも一部を患部に向けて反射することを特徴とする歯科用ミラー。
【請求項２】
前記クランプ係合部は、前記光反射部が前記クランプの連結部よりも口腔外側に位置するように、前記基部を前記クランプに固定する請求項１に記載の歯科用ミラー。
【請求項３】
前記クランプ係合部は、前記光反射部が前記クランプの連結部よりも口腔内側に位置するように、前記基部を前記クランプに固定する請求項１に記載の歯科用ミラー。
【請求項４】
前記クランプ係合部は、前記光反射部が前記クランプの連結部よりも歯牙の植立方向の先端側に位置するように、前記基部を前記クランプに固定する請求項１に記載の歯科用ミラー。
【請求項５】
前記クランプ係合部は、前記基部に形成された溝を有し、
前記溝に前記連結部が係合することにより、前記基部が前記クランプに固定される請求項１ないし４のいずれかに記載の歯科用ミラー。
【請求項６】
前記クランプ係合部は、前記基部から突出形成された一対の突出片を少なくとも一組有し、
前記一対の突出片で前記連結部を狭持することにより、前記基部が前記クランプに固定される請求項１ないし４のいずれかに記載の歯科用ミラー。
【請求項７】
歯牙に係合する一対の係合部と、前記一対の係合部を連結する連結部とを有するクランプと、
請求項１ないし６のいずれかに記載の歯科用ミラーとを有することを特徴とする歯科用クランプ。
【請求項８】
歯牙に固定して用いられる歯科用クランプであって、
前記歯牙に固定した状態において、口腔外から口腔内へ侵入した光の少なくとも一部を患部に向けて反射する光反射部を有することを特徴とする歯科用クランプ。
【請求項９】
前記歯牙に係合し得る一対の係合部と、
前記一対の係合部を連結する連結部とを有し、
前記連結部が、前記光反射部を兼ねている請求項８に記載の歯科用クランプ。
【請求項１０】
前記連結部は、前記歯牙に固定された状態で、口腔外へ向いた鏡面を有し、
前記鏡面が前記光反射部を構成している請求項９に記載の歯科用クランプ。
【請求項１１】
前記鏡面は、前記歯牙に固定された状態で、口腔外に向けて凸の湾曲凸面で構成されている請求項１０に記載の歯科用クランプ。
【請求項１２】
前記鏡面は、前記歯牙に固定された状態で、口腔外に向けて凹の湾曲凹面で構成されている請求項１０に記載の歯科用クランプ。
【請求項１３】
前記歯牙に対する前記光反射部の姿勢は、可変である請求項８ないし１２のいずれかに記載の歯科用クランプ。
【発明の詳細な説明】
【技術分野】
【０００１】
本発明は、歯科用ミラーおよび歯科用クランプ、特にラバーダムシートを固定するため歯科用クランプに関する。
【背景技術】
【０００２】
患歯の治療は、患歯およびその周囲の視野を確保するために、例えば患者の頭上に設置したライトの光を患歯に照射した状態で行われる。しかしながら、前記光の光路（進路）は、患歯の植立方向に対して傾斜しているため、光が患歯の一部にしか照射されない。特に、患部が歯内にある場合には、当該歯内に光を照射することは困難である。このような場合、術者は、例えば、デンタルミラー（例えば、特許文献１を参照）を用いてライトからの光を患部（前記孔内）へ向けて反射させることにより、患部を照らし観察する。しかしながら、デンタルミラーを用いながらの治療は、デンタルミラーを把持することにより片手が塞がったり、デンタルミラーによる患部の観察に多くの時間が費やされたりするため、治療の効率が悪いという問題がある。
【先行技術文献】
【特許文献】
【０００３】
【特許文献１】特開２００６−３２５７０１号公報
【発明の概要】
【発明が解決しようとする課題】
【０００４】
本発明の目的は、デンタルミラー等を用いなくても、患部に十分な光を照射することができ、かつ患部を容易に観察することができるとともに、治療中、術者が両手を自由に使うことのできる歯科用ミラーおよび歯科用クランプを提供することにある。
【課題を解決するための手段】
【０００５】
このような目的は、下記（１）〜（１３）の本発明により達成される。
（１）  歯牙に係合する一対の係合部と、前記一対の係合部を連結する連結部とを有するクランプに着脱自在な歯科用ミラーであって、
前記クランプに固定される基部と、
前記基部に設けられた光反射部と、
前記基部に設けられ、前記クランプに係合するクランプ係合部とを有し、
前記光反射部は、前記クランプ係合部が前記クランプに係合した状態において、口腔外から口腔内へ侵入した光の少なくとも一部を患部に向けて反射することを特徴とする歯科用ミラー。
【０００６】
（２）  前記クランプ係合部は、前記光反射部が前記クランプの連結部よりも口腔外側に位置するように、前記基部を前記クランプに固定する上記（１）に記載の歯科用ミラー。
【０００７】
（３）  前記クランプ係合部は、前記光反射部が前記クランプの連結部よりも口腔内側に位置するように、前記基部を前記クランプに固定する上記（１）に記載の歯科用ミラー。
【０００８】
（４）  前記クランプ係合部は、前記光反射部が前記クランプの連結部よりも歯牙の植立方向の先端側に位置するように、前記基部を前記クランプに固定する上記（１）に記載の歯科用ミラー。
【０００９】
（５）  前記クランプ係合部は、前記基部に形成された溝を有し、
前記溝に前記連結部が係合することにより、前記基部が前記クランプに固定される上記（１）ないし（４）のいずれかに記載の歯科用ミラー。
【００１０】
（６）  前記クランプ係合部は、前記基部から突出形成された一対の突出片を少なくとも一組有し、
前記一対の突出片で前記連結部を狭持することにより、前記基部が前記クランプに固定される上記（１）ないし（４）のいずれかに記載の歯科用ミラー。
【００１１】
（７）  歯牙に係合する一対の係合部と、前記一対の係合部を連結する連結部とを有するクランプと、
上記（１）ないし（６）のいずれかに記載の歯科用ミラーとを有することを特徴とする歯科用クランプ。
【００１２】
（８）  歯牙に固定して用いられる歯科用クランプであって、
前記歯牙に固定した状態において、口腔外から口腔内へ侵入した光の少なくとも一部を患部に向けて反射する光反射部を有することを特徴とする歯科用クランプ。
【００１３】
（９）  前記歯牙に係合し得る一対の係合部と、
前記一対の係合部を連結する連結部とを有し、
前記連結部が、前記光反射部を兼ねている上記（８）に記載の歯科用クランプ。
【００１４】
（１０）  前記連結部は、前記歯牙に固定された状態で、口腔外へ向いた鏡面を有し、
前記鏡面が前記光反射部を構成している上記（９）に記載の歯科用クランプ。
【００１５】
（１１）  前記鏡面は、前記歯牙に固定された状態で、口腔外に向けて凸の湾曲凸面で構成されている上記（１０）に記載の歯科用クランプ。
【００１６】
（１２）  前記鏡面は、前記歯牙に固定された状態で、口腔外に向けて凹の湾曲凹面で構成されている上記（１０）に記載の歯科用クランプ。
【００１７】
（１３）  前記歯牙に対する前記光反射部の姿勢は、可変である上記（８）ないし（１２）のいずれかに記載の歯科用クランプ。
【発明の効果】
【００１８】
本発明によれば、デンタルミラー等を用いなくても、患部に光を当てることができ、また、患部を容易に観察することができる。そのため、患部が十分に照らされ、かつ患部をはっきり観察することのできる状態でも、術者は、その両手を自由に使えるため、患歯（患部）の治療を効率よく行うことができる。
【図面の簡単な説明】
【００１９】
【図１】本発明の歯科用クランプの第１実施形態を示す斜視図である。
【図２】図１に示す歯科用クランプを歯牙（患歯）に固定した状態を示す斜視図である。
【図３】図１に示す歯科用クランプにフォーセップスを係合した状態を示す斜視図である。
【図４】図１に示す歯科用クランプが有する光反射部の光反射を示す断面図である。
【図５】本発明の歯科用クランプの第２実施形態を示す斜視図である。
【図６】本発明の第３実施形態に係る歯科用クランプを示す平面図である。
【図７】図６に示す歯科用クランプの分解図である。
【図８】本発明の歯科用ミラーの第４実施形態を示す側面図である。
【図９】図８に示す歯科用ミラーの平面図である。
【図１０】図８に示す歯科用ミラーの変形例を示す側面図である。
【図１１】本発明の歯科用ミラーの第５実施形態を示す断面図である。
【図１２】本発明の歯科用ミラーの第６実施形態を示す側面図である。
【発明を実施するための形態】
【００２０】
以下、本発明の歯科用クランプの好適な実施形態について、添付図面を参照しつつ説明する。
【００２１】
＜第１実施形態＞
図１は、本発明の歯科用クランプの第１実施形態を示す斜視図、図２は、図１に示す歯科用クランプを歯牙（患歯）に固定した状態を示す斜視図、図３は、図１に示す歯科用クランプにフォーセップスを係合した状態を示す斜視図、図４は、図１に示す歯科用クランプが有する光反射部の光反射を示す断面図である。
【００２２】
図１に示す歯科用クランプ１は、ラバーダム防湿法に用いられる歯科用クランプである。ラバーダム防湿法は、患歯に対する歯科治療方法の１つである。具体的には、ラバーダム防湿法は、図２に示すように、ラバーダムシート９に形成した穴から患歯Ｔを露出させ、患歯（歯牙）Ｔに歯科用クランプ１を固定（装着）し、患歯Ｔがラバーダムシート９から露出した状態を維持して、患歯Ｔの治療を行う治療方法である。
【００２３】
ラバーダム防湿法によれば、患歯Ｔをラバーダムシート９で口腔内の他の箇所から隔離することができるため、唾液による口腔内の湿潤環境から患部Ｔ１（例えば、罹患部や根管内）を防湿し、患部Ｔ１の汚染を防止するとともに、各種薬剤や充填材等の口腔内への漏出や、リーマ等、根管治療器具の誤嚥事故を予防することができる。また、患歯Ｔの表面が実質的に乾燥した状態であるため、患歯Ｔを観察し易く、患歯Ｔの治療の効率よく行うことができる。
【００２４】
このようなラバーダム防湿法は、唾液の分泌量が多く、また誤嚥し易いといった理由から小児歯科治療に多く用いられる。また、唾液等により一旦患部の衛生が失われると再び衛生を回復するのが困難な（手間がかかる）治療、代表的には神経を抜くと言った歯内療法にも多く用いられる。
【００２５】
図１および図２に示すように、歯科用クランプ１は、一対の係合部１１、１２と、一対の係合部１１、１２を連結する連結部１３とを有している。
【００２６】
本実施形態では、一対の係合部１１、１２および連結部１３は、１つの部材を湾曲、屈曲、延伸等することにより、一体的に形成されていている。なお、一対の係合部１１、１２および連結部１３は、一体的に形成されていなくてもよく、係合部１１、１２および連結部１３を別体で形成し、これらを溶接等により接合してもよい。
【００２７】
一対の係合部１１、１２は、互いに離間し、かつ互いに対向して設けられている。このような係合部１１、１２は、それぞれ、患歯Ｔの舌側表面や唇側表面に対して係合し得るよう構成されている。
【００２８】
係合部１１は、歯科用クランプ１を患歯Ｔに固定した状態にて、患歯Ｔ側に位置する内側サイド部１１１と、患歯Ｔと反対側に位置する外側サイド部１１２と、貫通孔１１３とを有している。同様に、係合部１２は、歯科用クランプ１を患歯Ｔに固定した状態にて、患歯Ｔ側に位置する内側サイド部１２１と、患歯Ｔと反対側に位置する外側サイド部１２２と、貫通孔１２３とを有している。
【００２９】
内側サイド部１１１、１２１は、歯科用クランプ１を患歯Ｔに固定した状態で、少なくとも一部が患歯Ｔに直接または間接的に当接する部分である。そのため、内側サイド部１１１、１２１は、それぞれ、患歯Ｔの表面形状に対応するような形状、例えば略円弧形状となっている。
【００３０】
外側サイド部１１２、１２２は、歯科用クランプ１を患歯Ｔに固定した状態で、ラバーダムシート９を歯茎側へ押さえ付ける機能を有している。このような外側サイド部１１２、１２２を有することにより、ラバーダムシート９の穴から患歯Ｔが露出した状態をより確実に維持することができる。
【００３１】
一対の貫通孔１１３、１２３は、フォーセップス３が係合する孔である。より具体的には、図３に示すように、貫通孔１１３、１２３は、フォーセップス３の先端３１、３２を挿通するための孔である。フォーセップス３の先端３１、３２を貫通孔１１３、１２３に挿通した状態で、フォーセップス３を、その先端３１、３２を広げるように操作することにより、一対の係合部１１、１２を互いに離間する方向へ押し広げることができる。このようなフォーセップス３を用いることにより、歯科用クランプ１の患歯Ｔへの固定を容易に行うことができる。
【００３２】
連結部１３は、弾性変形可能である。このような連結部１３は、自然状態（歯科用クランプ１に外力が加わっていない状態）では、係合部１１、１２の離間距離が患歯Ｔの幅よりも小さくなるように、係合部１１、１２を連結している。換言すれば、歯科用クランプ１は、自然状態における一対の係合部１１、１２の離間距離が、歯科用クランプ１を患歯Ｔに固定したとき（以下、この状態を「装着状態」とも言う）の一対の係合部１１、１２の離間距離よりも短くなるように設定されている。
【００３３】
一対の係合部１１、１２の離間距離を前述のように設定することにより、装着状態では、連結部１３が弾性変形し、係合部１１、１２同士を互いに接近させる方向の付勢力が生じる。そのため、前記付勢力によって、歯科用クランプ１を患歯Ｔにより強固に固定することができる。
【００３４】
また、連結部１３は、装着状態において、口腔外を向く面（表面）１３１ａを有している。面１３１ａは、鏡面で構成されており、光を反射する光反射性を有している。このような面１３１ａは、光反射部１３１を構成している。
【００３５】
図４に示すように、光反射部１３１は、口腔外から口腔内へ侵入した光（例えば患者の頭上に配置されたライトからの光）の少なくとも一部を反射し、反射した光を患歯Ｔ（特に患部Ｔ１）およびその周辺に導く（照射する）機能を有している。このような光反射部１３１を備えることにより、患歯Ｔ（特に患部Ｔ１）およびその周辺が明るく照らされるため、患部Ｔ１の治療を効率よく行うことができる。また、術者は、光反射部１３１を介して患部Ｔ１を観察することもできる。この点からも、患部Ｔ１の治療を効率よく行うことができる。特に、患部Ｔ１が患内にある場合には、術者は、患部Ｔ１を直接視認することが困難でるため、その効果がより顕著となる。
【００３６】
また、光反射部１３１は、装着状態にて、患歯Ｔの患部Ｔ１よりも口腔奥側に位置している。光反射部１３１を患部Ｔ１よりも口腔奥側に配置することにより、光反射部１３１が患部Ｔ１の治療を阻害するのを防止することができる。すなわち、患部Ｔ１が光反射部１３１の陰になるのを防止するとともに、患部Ｔ１周囲のスペースを確保することができるため、患部Ｔ１の治療を効率よく行うことができる。
【００３７】
また、光反射部１３１を構成する面１３１ａは、装着状態にて、口腔外へ向けて凸の湾曲凸面で構成されている。このように、面１３１ａを湾曲凸面で構成することにより、口腔外から口腔内へ侵入した様々な方向の光を、患歯Ｔ（患部Ｔ１）およびその周辺に向けて反射することができる。また、患部Ｔ１を中心とした比較的広い範囲に光を反射する（当てる）ことができる。さらには、面１３１ａを介して患部Ｔ１を観察する際、面１３１ａに拡大された患部Ｔ１の像が映し出されるため、術者は、患部Ｔ１をより詳細に観察することができる。
【００３８】
また、光反射部１３１を構成する面１３１ａは、略扇状をなしている。面１３１ａが略扇状をなすことにより、面１３１ａの面積を比較的大きくすることができるため、より多くの光を患部Ｔ１およびその周辺に向けて反射することができる。
【００３９】
本実施形態の歯科用クランプ１では、光反射部１３１の傾斜を自在に変更することができるようになっている。換言すれば、装着状態にて、患歯Ｔに対する光反射部１３１の姿勢を変えることができるようになっている。適宜、光反射部１３１の姿勢（傾斜）を変更することにより、患歯Ｔ（患部Ｔ１）の位置によらずに、当該患歯Ｔに向けて光を反射することができる。すなわち、歯科用クランプ１は、全ての歯牙についてその機能を発揮することができる。
【００４０】
なお、光反射部１３１の姿勢を変化させる方法としては、例えば、連結部１３と各係合部１１、１２との境界部（連結部）を変形させる方法が挙げられる。
【００４１】
このような歯科用クランプ１の構成材料としては、生体親和性を有する材料であるのがよく、例えば、ステンレス鋼を用いることができる。歯科用クランプ１をステンレス鋼で構成することにより、連結部１３の面１３１ａを鏡面とすることが容易となるため、光反射部１３１を容易に形成することができる。また、ステンレス鋼は、歯科治療時に使用される化学物質による化学的侵食に対して良好な安定性を示すとともに、歯科用クランプ１に応力が加わっている状態（すなわち、装着状態）において優れた安定性を示す。また、ステンレス鋼は、使用後の化学的な殺菌または熱的な殺菌に対する耐久性にも優れている。
【００４２】
なお、歯科用クランプ１の構成材料としては、上述したステンレス鋼の他にも、例えば、ポリプロピン、ポリエーテルエーテルケトン、ポリフェニルサルフォン、ポリエチレンイミン、ポリオキシメチレン等の高分子材料を用いることもできる。
【００４３】
＜第２実施形態＞
次に、本発明の歯科用クランプの第２実施形態について説明する。
図５は、本発明の第２実施形態に係る歯科用クランプを示す斜視図である。
【００４４】
以下、第２実施形態の歯科用クランプについて、前述した第１実施形態との相違点を中心に説明し、同様の事項については、その説明を省略する。
【００４５】
第２実施形態の歯科用クランプは、光反射部を構成する連結部の表面の形状が異なる以外は、第１実施形態とほぼ同様である。
【００４６】
図５に示すように、光反射部１３１を構成する面１３１ａは、装着状態にて、口腔外へ向けて凹の湾曲凹面で構成されている。面１３１ａを湾曲凹面で構成することにより、口腔外から口腔内へ侵入した様々な方向の光を、集中的に患部Ｔ１に向けて反射することができる。そのため、患部Ｔ１をより明るく照らすことができ、患部Ｔ１の治療を効率よく行うことができる。
【００４７】
このような第２実施形態によっても、第１実施形態と同様の効果を発揮することができる。
【００４８】
＜第３実施形態＞
次に、本発明の歯科用クランプの第３実施形態について説明する。
【００４９】
図６は、本発明の第３実施形態に係る歯科用クランプを示す平面図、図７は、図６に示す歯科用クランプの分解図である。
【００５０】
以下、第３実施形態の歯科用クランプについて、前述した実施形態との相違点を中心に説明し、同様の事項については、その説明を省略する。
【００５１】
本実施形態は、光反射部が連結部と別体として構成されている以外は、前述した第１実施形態と同様の構成である。
【００５２】
図６および図７に示すように、歯科用クランプ１Ａは、患歯Ｔに固定するクランプ２Ａと、クランプ２Ａに着脱自在な歯科用ミラー（本発明の歯科用ミラー）３Ａとで構成されている。
【００５３】
クランプ２Ａは、一対の係合部１１、１２と、一対の係合部１１、１２を連結する連結部１３Ａとを有している。
【００５４】
また、歯科用ミラー４Ａは、基部１４１と、基部１４１に設けられた光反射部（ミラー）１４２と、基部１４１に設けられたクランプ係合部１４３とを有している。
【００５５】
基部１４１は、例えば、プラスチック材料で構成されている。このような基部１４１の光反射部１４２と反対側の面には、図７に示すように、溝１４４が形成されており、この溝１４４がクランプ係合部１４３を構成している。
【００５６】
このような歯科用ミラー４Ａでは、溝１４４にクランプ２Ａの連結部１３Ａを嵌入することにより、基部１４１を連結部１３Ａに固定できる。反対に、溝１４４から連結部１３Ａを引き抜くことにより、基部１４１を連結部１３Ａから離脱することができる。すなわち、歯科用ミラー４Ａは、クランプ２Ａに対して着脱自在となっている。
【００５７】
このように、歯科用ミラー４Ａをクランプ２Ａに対して着脱自在とすることにより、例えば、歯科用ミラー４Ａを離脱させた状態でクランプ２Ａを患歯Ｔに固定し、固定した後に歯科用ミラー４Ａをクランプ２Ａの連結部１３Ａに装着し、固定することが可能となる。このような固定方法によれば、クランプ２Ａの患歯Ｔへの固定がより簡単となり、歯科用クランプ１Ａの使用が容易となる。
【００５８】
また、治療の途中に光反射部１４２が汚れた場合などには、クランプ２Ａを患歯Ｔに固定した状態で歯科用ミラー４Ａのみを外し、光反射部１４２の汚れを除去することができる。このように、クランプ２Ａを患歯Ｔから外す必要がないため、患部Ｔ１の治療を効率よく行うことができる。
【００５９】
また、光反射部１４２の構成が異なる複数の歯科用ミラー４Ａを用意しておけば、これら複数の歯科用ミラー４Ａを治療の目的や患歯Ｔ（患部Ｔ１）の位置に応じて使い分けることができる。そのため、患部Ｔ１の治療を効率よく行うことができる。なお、前記「光反射部１４２の構成が異なる」とは、例えば、クランプ２Ａに固定された状態でのクランプ２Ａに対する光反射部１４２の姿勢（傾斜）が異なっていたり、光反射部１４２の表面形状（平坦面、湾曲凹面、湾曲凸面等）、大きさ、外径形状等の少なくとも１つが異なっていたりすることを意味する。
【００６０】
患歯Ｔに固定されたクランプ２Ａに歯科用ミラー４Ａを固定（装着）した状態では、光反射部１４２は、口腔外を向くように設けられている。このような光反射部１４２は、口腔外から口腔内へ侵入した光の少なくとも一部を反射し、反射した光を患歯Ｔ（特に患部Ｔ１）およびその周辺に導く機能を有している。これにより、術野が確保されるため、患部Ｔ１の治療を効率よく行うことができる。
【００６１】
なお、光反射部１４２は、平面鏡で構成されていてもよいし、凸または凹の曲面鏡で構成されていてもよいし、これらが組み合わされた鏡で構成されていてもよい。
【００６２】
このような第３実施形態によっても、第１実施形態と同様の効果を発揮することができる。
【００６３】
なお、本実施形態の歯科用ミラー４Ａでは、基部１４１と光反射部１４２とを別体として形成されているが、これに限定されず、基部１４１と光反射部１４２とを一体的に形成してもよい。この場合には、例えば、ステンレス鋼を用いて構成し、少なくとも光反射部１４２となる部分の表面を鏡面とすればよい。
【００６４】
＜第４実施形態＞
次に、本発明の歯科用クランプの第４実施形態について説明する。
【００６５】
図８は、本発明の第４実施形態の歯科用ミラーを示す側面図、図９は、図８に示す歯科用ミラーの平面図、図１０は、図８に示す歯科用ミラーの変形例を示す側面図である。
【００６６】
以下、第４実施形態の歯科用クランプについて、前述した実施形態との相違点を中心に説明し、同様の事項については、その説明を省略する。
【００６７】
本実施形態は、歯科用ミラーのクランプ係合部の構成が異なる以外は、前述した第３実施形態と同様の構成である。
【００６８】
図８および図９に示すように、歯科用ミラー４Ｂのクランプ係合部１４３Ｂは、基部１４１から突出する一対の突出片１４５Ｂ、１４６Ｂで構成されている。
【００６９】
このような歯科用ミラー４Ｂでは、突出片１４５Ｂ、１４６Ｂ間にクランプ２Ａの連結部１３Ａを嵌入し、突出片１４５Ｂ、１４６Ｂで連結部１３Ａを狭持することにより、基部１４１を連結部１３Ａに固定する。反対に、突出片１４５Ｂ、１４６Ｂの間から連結部１３Ａを引き抜くことにより、基部１４１を連結部１３Ａから離脱する。
【００７０】
このような突出片１４５Ｂ、１４６Ｂは、例えば、ステンレス鋼で構成されている。そして、突出片１４５Ｂ、１４６Ｂは、例えば、基部１４１に一部（基端側）が埋め込まれることにより、基部１４１に固定されている。
【００７１】
このような構成によれば、突出片１４５Ｂ、１４６Ｂの強度が充分となり、歯科用ミラー４Ｂの連結部１３Ａへの装着状態を確実に維持することができる。また、突出片１４５Ｂ、１４６Ｂを変形させ、かつ、変形後の状態を維持することができるため、例えば、突出片１４５Ｂ、１４６Ｂの姿勢（基部１４１からの突出方向）を変えることにより、これらの離間距離を連結部１３Ａの厚さに合わせて調整したり、クランプ２Ａに固定された歯科用ミラー４Ｂのクランプ２Ａに対する姿勢を変化させたりすることができる。そのため、歯科用ミラー４Ｂの利便性が向上する。
【００７２】
本実施形態によれば、歯科用ミラー４Ｂを、その背面側（光反射部１４２と反対側）にて、クランプ２Ａに固定することができる。すなわち、光反射部１４２が連結部１３Ａよりも口腔外側（術者から見て手前側）に位置するように、歯科用ミラー４Ｂをクランプ２Ａに固定できる。そのため、連結部１３Ａによって、歯科用ミラー４Ｂの視認が阻害されるのを防止でき、患歯Ｔの観察を容易に行うことができる。また、歯科用ミラー４Ｂを患歯Ｔにより近づけることができるため、光反射部１４２に患歯Ｔの様子をより大きく映し出すことができる。
【００７３】
なお、一対の突出片１４５Ｂ、１４６Ｂの設置数としては、１つに限定されず、２つ以上であってもよい。一対の突出片１４５Ｂ、１４６Ｂを複数設置することにより、より確実かつ安定して歯科用ミラー４Ｂを連結部１３Ａに固定することができる。
【００７４】
また、本実施形態では、クランプ係合部１４３Ｂが基部の中央部付近に設けられているが、クランプ係合部の配置はこれに限定されず、例えば、基部の縁部（例えば、図８中下側）に形成されていてもよい。
【００７５】
また、本実施形態では、突出片１４５Ｂ、１４６Ｂが基部１４１から光反射部１４２と反対側へ突出するように形成されているが、これに限定されず、例えば、図１０に示すように、基部１４１から光反射部１４２側へ突出するように形成されていてもよい。このような構成によれば、歯科用ミラー４Ｂを、その前面側（光反射部１４２側）にて、クランプ２Ａに固定することができる。すなわち、光反射部１４２が連結部１３Ａよりも口腔内側（術者から見て奥側）に位置するように、歯科用ミラー４Ｂをクランプ２Ａに固定できる。そのため、患歯Ｔに固定されたクランプ２Ａに歯科用ミラー４Ｂを固定した状態にて、歯科用ミラー４Ｂを患歯Ｔから奥側へ離すことができ、患歯Ｔの治療をする際に歯科用ミラー４Ｂが邪魔にならない。
【００７６】
このような第４実施形態によっても、第３実施形態と同様の効果を発揮することができる。
【００７７】
＜第５実施形態＞
次に、本発明の歯科用クランプの第５実施形態について説明する。
図１１は、本発明の第５実施形態の歯科用ミラーを示す断面図である。
【００７８】
以下、第５実施形態の歯科用クランプについて、前述した実施形態との相違点を中心に説明し、同様の事項については、その説明を省略する。
【００７９】
本実施形態は、歯科用ミラーのクランプ係合部の構成が異なる以外は、前述した第４実施形態と同様の構成である。
【００８０】
図１１に示すように、歯科用ミラー４Ｃのクランプ係合部１４３Ｃは、基部１４１に設けられた係合部材１５Ｃを有している。
【００８１】
係合部材１５Ｃは、一対の突出片１５１Ｃ、１５２Ｃと、これらを連結する連結部１５３Ｃとで構成されている。係合部材１５Ｃは、例えば、長尺状のステンレス板を略Ｕ字状に湾曲変形することにより得られる。このような係合部材１５Ｃは、突出片１５１Ｃ、１５１Ｃが基部１４１から突出するように設けられており、かつ、連結部１５３Ｃが基部１４１に埋め込まれている。
【００８２】
本実施形態では、基部１４１に凹部１４１ｄを形成し、凹部１４１ｄ内に係合部材１５Ｃを配置し、係合部材１５Ｃの上から係合部材１５Ｃの脱落を防止する脱落防止部材１４１ｅを被せ、脱落防止部材１４１ｅと基部１４１とを接合し、脱落防止部材１４１ｅと基部１４１とで係合部材１５Ｃを狭持することにより、上記のような構成を実現している。
【００８３】
係合部材１５Ｃは、図１１中の矢印Ａで示すように、基部１４１に対して回動可能となっている。また、脱落防止部材１４１ｅと基部１４１とで係合部材１５Ｃが狭持されているため、係合部材１５Ｃの基部１４１に対する姿勢が維持されるようになっている。すなわち、歯科用ミラー４Ｃは、突出片１５１Ｃ、１５２Ｃの基部１４１に対する姿勢（突出方向）を変化させることができ、かつその突出方向を維持することができるようになっている。
【００８４】
このような歯科用ミラー４Ｃは、突出片１５１Ｃ、１５２Ｃ間にクランプ２Ａの連結部１３Ａを嵌入し、突出片１５１Ｃ、１５２Ｃで連結部１３Ａを狭持することにより、基部１４１を連結部１３Ａに固定できる。反対に、突出片１５１Ｃ、１５２Ｃの間から連結部１３Ａを引き抜くことにより、基部１４１を連結部１３Ａから離脱することができる。
【００８５】
このような構成によれば、患歯Ｔに対する光反射部１４２の姿勢を変えることができるため、患歯Ｔの位置によらずに、当該患歯Ｔに向けて光を反射することができ、患部の観察および治療を容易に行うことができる。
【００８６】
このような第５実施形態によっても、第４実施形態と同様の効果を発揮することができる。
【００８７】
＜第６実施形態＞
次に、本発明の歯科用クランプの第６実施形態について説明する。
図１２は、本発明の第６実施形態の歯科用ミラーを示す側面図である。
【００８８】
以下、第６実施形態の歯科用クランプについて、前述した実施形態との相違点を中心に説明し、同様の事項については、その説明を省略する。
【００８９】
本実施形態は、歯科用ミラーのクランプ係合部の構成が異なる以外は、前述した第４実施形態と同様の構成である。
【００９０】
図１２に示すように、歯科用ミラー４Ｄのクランプ係合部１４３Ｄは、基部１４１から当該基部１４１の側面方向へ突出する棒状の係合部材１６Ｄを有している。このような歯科用ミラー４Ｄは、係合部材１６Ｄをクランプ２Ａの連結部１３Ａに形成された貫通孔１３１Ｄに挿通することにより、基部１４１を連結部１３Ａに固定できる。
【００９１】
このような構成では、患歯Ｔに固定されたクランプ２Ａに歯科用ミラー４Ｄを固定（装着）した状態で、光反射部１４２が連結部１３Ａよりも患歯Ｔの植立方向の先端側に位置するように、歯科用ミラー４Ｄをクランプ２Ａに固定することができる。そのため、歯科用ミラー４Ｄを患歯Ｔから離すことができ、患歯Ｔの治療をする際に歯科用ミラー４Ｄが邪魔にならない。
【００９２】
このような第６実施形態によっても、第４実施形態と同様の効果を発揮することができる。
【００９３】
以上、図示の各実施形態に基づいて、本発明の歯科用ミラーおよび歯科用クランプを説明したが、本発明は、これらに限定されるものでない。例えば、本発明の歯科用ミラーおよび歯科用クランプでは、各部の構成は、同様の機能を発揮する任意の構成のものに置換することができ、また、任意の構成を付加することもできる。
【００９４】
また、前述した第１実施形態および第２実施形態では、光反射部を構成する面が湾曲凸面および湾曲凹面で構成されている形態について説明したが、これに限定されず、例えば、光反射部を構成する面は、平坦面で構成されていてもよい。前記面を平坦面で構成した場合には、前記面に歪みのない患部の像が映し出される。
【００９５】
また、前述した実施形態では患歯（患部が存在する歯牙）に歯科用クランプを固定する形態について説明したが、これに限定されず、例えば、患歯を含む２本以上の歯牙をラバーダムシートから露出させるような場合には、患歯ではない歯牙に歯科用クランプを固定してもよい。
【００９６】
また、前述した実施形態では、ラバーダム防湿法に用いられる形態について説明したが、これに限定されず、例えば、ラバーダムシートの代わりに、患歯の両サイド（舌側表面および唇側表面）に脱脂綿等を歯科用クランプにより挟み込む、いわゆる「簡易ラバーダム防湿法」に用いてもよい。
【符号の説明】
【００９７】
１      歯科用クランプ
１Ａ      歯科用クランプ
１１          係合部
１１１        内側サイド部
１１２        外側サイド部
１１３        貫通孔
１２          係合部
１２１        内側サイド部
１２２        外側サイド部
１２３        貫通孔
１３          連結部
１３Ａ        連結部
１３１        光反射部
１３１ａ      面
１３１Ｄ      貫通孔
１４１        基部
１４１ｄ      凹部
１４１ｅ      脱落防止部材
１４２        光反射部
１４３        クランプ係合部
１４３Ｂ      クランプ係合部
１４３Ｃ      クランプ係合部
１４３Ｄ      クランプ係合部
１４４        溝
１４５Ｂ      突出片
１４６Ｂ      突出片
１５Ｃ        係合部材
１５１Ｃ      突出片
１５２Ｃ      突出片
１５３Ｃ      連結部
１６Ｄ        係合部材
２Ａ          クランプ
３            フォーセップス
３１、３２    先端
４Ａ          歯科用ミラー
４Ｂ          歯科用ミラー
４Ｃ          歯科用ミラー
４Ｄ          歯科用ミラー
９            ラバーダムシート
Ｔ            患歯
Ｔ１          患部
【図１】
2011098194.tif 000003
【図２】
2011098194.tif 000004
【図３】
2011098194.tif 000005
【図４】
2011098194.tif 000006
【図５】
2011098194.tif 000007
【図６】
2011098194.tif 000008
【図７】
2011098194.tif 000009
【図８】
2011098194.tif 000010
【図９】
2011098194.tif 000011
【図１０】
2011098194.tif 000012
【図１１】
2011098194.tif 000013
【図１２】
2011098194.tif 000014